(57)【要約】【課題】集塵袋に付着した塵埃を効率よく取り除く事ができる電気掃除機を提供すること。【解決手段】集塵手段１２を着脱自在に収納する集塵室１３と、吸引風を発する電動送風機１４を備えた電動送風機室１５と、連通口２０を有すると共に前記集塵室１３と前記電動送風機室１５とを区画する仕切壁１９と、前記集塵手段１２の内壁に付着した塵埃を取り除く振動板２９を配し、前記振動板２９をほぼ開ききった前記集塵手段１２の外面に沿うように形成したもので、振動板２９が集塵手段１２の内面に付着した塵埃を効率良く取り除くことができる。【選択図】図１
2006020689.tif 000002
【特許請求の範囲】
【請求項１】
集塵手段を着脱自在に収納する集塵室と、吸引風を発する電動送風機を備えた電動送風機室と、連通口を有すると共に前記集塵室と前記電動送風機室とを区画する仕切壁と、前記集塵手段の内壁に付着した塵埃を取り除く振動板を備え、前記振動板は最大形状近くに開いた前記集塵手段の外面に沿うように形成したことを特徴とする電気掃除機。
【請求項２】
振動板の略中央を断面略凹状にしたことを特徴とする請求項１に記載の電気掃除機。
【請求項３】
振動板の集塵手段と接触する部分の中央を断面略凹状に、さらに前記集塵手段と接触しない部分を平面状にそれぞれ形成したことを特徴とする請求項１又は２に記載の電気掃除機。
【請求項４】
振動板に集塵手段が密着するのを防止する凸部を設けたことを特徴とする請求項１〜３のいずれか１項に記載の電気掃除機。
【請求項５】
凸部の断面を略台形形状としたことを特徴とする請求項１〜４のいずれか１項に記載の電気掃除機。
【請求項６】
凸部を、振動板の集塵手段が接触する面にほぼ均等に複数個設けたことを特徴とする請求項４又は５に記載の電気掃除機。
【請求項７】
振動板の集塵手段に接触する部分を電動送風機と対向する位置に配すると共にその接触面積を、前記集塵手段が開ききった時の１面の面積とほぼ同一に設定したことを特徴とする請求項１〜６のいずれか１項に記載の電気掃除機。
【発明の詳細な説明】
【技術分野】
【０００１】
本発明は、電気掃除機に関するもので、特に集塵袋に付着する塵埃を取り除く除塵手段を備えた電気掃除機に関するものである。
【背景技術】
【０００２】
従来のこの種の電気掃除機について、図６を用いて説明する。
【０００３】
図６は、従来の電気掃除機の部分断面図である。
【０００４】
電気掃除機の掃除機本体１の前部に集塵手段である集塵袋４を内蔵した集塵室８が設けられ、後部には、電動送風機７を内蔵した電動送風機室９が設けられている。集塵室８と電動送風機室９は、連通口３を有する隔壁２で区画されると共に、その連通口３で、集塵室８と電動送風機７とが連通されている。
【０００５】
５は、隔壁２の連通口３に面する集塵袋４の面ａに付着する塵埃を除塵する除塵手段で、制御手段６で振動させられ、集塵袋４の面ａを叩くものである。そして、電動送風機７の吸気部７ａに面する集塵袋４の面ａに強く付着した塵埃を取り除いて、吸い込み力の低下を防止することができるものである(例えば、特許文献１参照)。
【特許文献１】特開平５−９１９６２号公報
【発明の開示】
【発明が解決しようとする課題】
【０００６】
しかしながら、上記従来の構成では、電動送風機７と連通する連通口３に面する集塵袋４の面ａに限定して除塵手段５を設けている為、構成が多様化する集塵袋４及び電気掃除機においては、効率的な除塵効果が望めないという課題があった。
【０００７】
本発明は上記課題を解決するもので、集塵袋に付着した塵埃を効率よく取り除くことができる電気掃除機を提供することを目的とするものである。
【課題を解決するための手段】
【０００８】
上記従来の課題を解決するために、本発明の電気掃除機は、集塵手段を着脱自在に収納する集塵室と、吸引風を発する電動送風機を備えた電動送風機室と、連通口を有すると共に前記集塵室と前記電動送風機室とを区画する仕切壁と、前記集塵手段の内壁に付着した塵埃を取り除く振動板を備え、前記振動板は最大形状近くに開いた前記集塵手段の外面に沿うように形成したもので、振動板が集塵手段の内面に付着した塵埃を効率良く除塵できる。
【発明の効果】
【０００９】
本発明の電気掃除機は、集塵袋に付着した塵埃を効率よく取り除く事ができる。
【発明を実施するための最良の形態】
【００１０】
第１の発明は、集塵手段を着脱自在に収納する集塵室と、吸引風を発する電動送風機を備えた電動送風機室と、連通口を有すると共に前記集塵室と前記電動送風機室とを区画する仕切壁と、前記集塵手段の内壁に付着した塵埃を取り除く振動板を備え、前記振動板は最大形状近くに開いた前記集塵手段の外面に沿うように形成したもので、振動板が集塵手段の内面に付着した塵埃を効率良く除塵できる。
【００１１】
第２の発明は、特に、第１の発明の振動板の略中央を断面略凹状にしたもので、集塵手段のふくらみが振動板で阻害されないので、集塵手段の容量を最大限活用することができる。
【００１２】
第３の発明は、特に、第１又は第２の発明の振動板の集塵手段と接触する部分の中央を断面略凹状に、さらに前記集塵手段と接触しない部分を平面状にそれぞれ形成したもので、集塵手段の通気性を向上させることができる。
【００１３】
第４の発明は、特に、第１〜３のいずれか１つの発明の振動板に集塵手段が密着するのを防止する凸部を設けたもので、集塵手段の通気性を向上させることができる。
【００１４】
第５の発明は、特に、第１〜４のいずれか１つの発明の凸部の断面を略台形形状としたもので、集塵手段と接触した凸部の周りから吸気風が取り入れられるので、集塵手段の通気性が損なわれることがない。
【００１５】
第６の発明は、特に、第４又は第５の発明の凸部を、振動板の集塵手段が接触する面にほぼ均等に複数個設けたもので、振動板が集塵手段に完全密着する事がなく、集塵手段の通気性を向上させることができる。
【００１６】
第７の発明は、特に、第１〜６のいずれか１つの発明の振動板の集塵手段に接触する部分を電動送風機と対向する位置に配すると共にその接触面積を、前記集塵手段が開ききった時の１面の面積とほぼ同一に設定したもので、集塵手段の通気性を損なうことなく、振動板が集塵手段の内面に付着した塵埃を効率良く除塵できる。
【００１７】
以下、本発明の実施の形態について、図面を参照しながら説明する。なお、この実施の形態によりこの発明が限定されるものではない。
【００１８】
（実施の形態１）
本発明の第１の実施の形態について、図１〜図５を用いて説明する。
【００１９】
図１は、本実施の形態における電気掃除機の掃除機本体の断面図、図２は、同掃除機本体の分解斜視図、図３は、同掃除機本体の集塵室内部の分解斜視図、図４は、同電気掃除機の除塵手段の構成を示す分解斜視図、図５は、同除塵手段の下面図である。
【００２０】
図１〜３において、掃除機本体１０は、外郭を形成すると共に上方開口した下カバー１１と、下カバー１１の前方に設けられ塵埃を捕集する集塵手段１２を収納する集塵室１３と、下カバー１１の後方に設けられ吸引風を発生する電動送風機１４を収納する電動送風機室１５と、前記電動送風機室１５の上方を覆う上カバー１６と、前記上カバー１６に回動自在に軸支され前記集塵室１３の上方開口を開閉自在に覆う蓋体１８を備えている。
【００２１】
集塵手段１２は、硬質材で形成した固定部１２ａと、紙や布等の軟質材からなり通風性を有しかつ袋状に形成された集塵部１２ｂにより構成されている。集塵室１３の前方には逆止弁２２を保持した前壁２１が形成され、その集塵室１３側下方には断面が略Ｌ字状の保持リブ４５をコの字状に設けている。また、その上方には、バネ４６で付勢されると共に回動自在に軸支された固定部押さえ４７が配設されており、これらは集塵手段１２を収納するための保持手段を構成するものである。
【００２２】
その収納構成は、以下の通りである。
【００２３】
集塵手段１２は、装着部となるバスケット２３に装着され、その後バスケット２３ごと集塵室１３に装着し、固定部１２ａの上端枠に固定部押さえ４７を回動して引っ掛けて保持を達成し、収納を行うものとしている。またその際固定部１２ａは、逆止弁２２と密着した状態で保持され、塵埃を補集する集塵手段１２と集塵室１３とのエアタイトが確立し、ゴミもれ対策が行えるものとなっている。また集塵部１２ｂが吸引通気流で膨らんだ時、前記集塵部１２ｂの膨らみを略上方から所定以内に押さえる押さえ部材である袋押さえ部材４４が蓋体１８内面に爪嵌合または図示しないネジにより固定されている。
【００２４】
次に前記電動送風機１４は、クッション前４２及びクッション後１７を介して下カバー１１と上カバー１６とで狭持されている。電動送風機室１５と集塵室１３を仕切る仕切壁１９を下カバー１１及び蓋体１８に相対するように設けており、この仕切壁１９同士の間にパッキン（図示せず）を介して空気のタイトを行い、気密性を確保している。仕切壁１９に設けた連通口２０で集塵室１３と電動送風機１４は連通されている。
【００２５】
また、この連通口２０には格子状のリブ２０ａを形成している。連通口２０の集塵室１３側前方所謂集塵室１３内には、下カバー１１より立設し、収納された集塵手段１２の集塵部１２ｂの外面に臨んで、振動動作を与えるための振動板２９を有した除塵手段２８が設けられている。
【００２６】
振動板２９の集塵部１２ｂと接触する中央部分は電動送風機１４による吸引風によって最大形状近くまで開いた集塵手段１２の集塵部１２ｂ外面に沿うように凹状に形成され、集塵部１２ｂの容量を最大限使うことができるようになっている。集塵部１２ｂと接触しない部分は平面としたので、集塵部１２ｂの通気性を向上させることができる。
【００２７】
振動板２９の集塵部１２ｂが接触する表面には、集塵部１２ｂが密着するのを防止するための、断面が略台形形状の凸部２９ａがほぼ均等に複数個設けられており、それにより、
振動板２９が集塵部１２ｂに完全密着する事がなく、集塵部１２ｂの通気性を向上させることができる。
【００２８】
次に、除塵手段２８の構成及び動作の詳細を説明する。
【００２９】
図４、５において、除塵手段２８は、集塵室１３の下方の下カバー１１下部内に格納され蓋カバー３０で固定されており、除塵手段２８の本体ケース３１からは、可動板３２より立設した中空円柱状のアーム３３が集塵室１３内へ突出しており、このアーム３３に格子形状をなす振動板２９の下部にある突起４８が挿入嵌合されている。
【００３０】
振動板２９は、仕切壁１９の連通口２０に面する集塵部１２ｂの外面に臨んだ位置に配設しているため、集塵部１２ｂを通過して連通口２０から吸引される吸引風を遮らないように格子形状としている。また、アーム３３はリング状のゴム製ブッシング３４を介して本体ケース３１に固定されている。本体ケース３１内には、電磁石３５と電磁石３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在となるように本体ケース３１に固定されている。
【００３１】
振動制御回路によりスイッチ（図示せず）がＯＮされ電磁石３５、３６にＡＣ１００Ｖ電源が通電されると、電磁石３５、３６に生じた磁界により先端部に磁石３７を固着した可動板３２はネジ３９で固定された側の一端を支点として、アーム３３が、ゴム製ブッシング３４を前後に撓ませながら矢印４０、４１方向へＡＣ１００Ｖ電源の電源周波数（５０Ｈｚまたは６０Ｈｚ）に応じた周期で振動する。その振動はアーム３３を介して振動板２９に伝えられ、振動板２９も同様に矢印４０、４１方向へ振動し、集塵手段１２の集塵部１２ｂの外面を振動させ除塵を行うものである。
【００３２】
以上のように、本実施の形態によれば、集塵部１２ｂに付着した塵埃を取り除く除塵手段２８を設けたことにより、集塵手段１２の集塵部１２ｂに付着し堆積した塵埃をはたき落とすことが可能となる。その結果、吸引風が低下するのを防止し、吸引効率を良化させることができる。また、除塵手段２８を集塵室１３内部に設けたことにより、除塵手段２８の構成として複数の部品による動作の連動が不用となり、且つ集塵手段１２に直接除塵動作を与えることができるので、除塵構成が簡素化され、部品点数の削減並びに関係部品の低減による規制緩和で除塵手段２８の構成の多様化が実現できる。
【００３３】
また、集塵室１３内部に設けた集塵手段１２の集塵部１２ｂに、除塵手段２８で除塵動作を加えることにより、主として塵埃が付着し堆積した部分を直接動作させることになるので効率的な除塵効果が得られるようになる。
【００３４】
また、集塵室１３の内部に設けた集塵手段１２の集塵部１２ｂを軟質材で形成したことにより、除塵手段２８による除塵動作が軟質材で形成された集塵部１２ｂのみの動きで緩和され、硬質材で形成された固定部１２ａまで前記除塵動作が伝わることがない。
【００３５】
その結果、逆止弁２２と前記集塵手段１２の固定部１２ａとの密着部への動きの連動が無くなり、タイト性の向上が実現しゴミ漏れ等が解消されるものとなる。また、電動送風機室１５と集塵室１３を連通する連通口２０を有し、除塵手段２８を前記連通口２０近傍に配設することにより、吸引風が通過し塵埃の付着が最も多い集塵部１２ｂの除塵が可能となる。
【００３６】
その結果、除塵手段２８における除塵効果の拡大が図れるものとなる。又、除塵手段２８を連通口２０に対向する位置に配設することにより、最も吸引風が通過し塵埃の付着が多い集塵部１２ｂの除塵が可能となる。その結果、より前記除塵手段２８による除塵効果の拡大が図れるものとなる。また、除塵手段２８は、格子形状に形成されているので通気性が確保され、吸引風に対する通風抵抗が低減でき、電気掃除機における吸い込み性能の劣化を防止することができる。
【００３７】
また、振動板２９の集塵手段１２に接触する部分を電動送風機１４と対向する位置に配すると共にその接触面積を、集塵手段１２が開ききった時の１面である後面の面積とほぼ同一に設定すれば、集塵手段１２の通気性を損なうことなく、振動板２９が集塵手段１２の内面に付着した塵埃をさらに効率良く除塵できるものである。
【産業上の利用可能性】
【００３８】
以上のように、本発明にかかる電気掃除機は、集塵手段に付着し堆積した塵埃を効率よくはたき落とすことで、吸引風の低下を減少させ吸引効率を良化させることができるもので、家庭用、業務用電気掃除機、集塵機に適用できる。
【図面の簡単な説明】
【００３９】
【図１】本発明の実施の形態１における電気掃除機の掃除機本体の断面図
【図２】同掃除機本体の分解斜視図
【図３】同掃除機本体の集塵室内部の分解斜視図
【図４】同電気掃除機の除塵手段の構成を示す分解斜視図
【図５】同除塵手段の下面図
【図６】従来の電気掃除機の掃除機本体の断面図
【符号の説明】
【００４０】
１２  集塵手段
１３  集塵室
１４  電動送風機
１５  電動送風機室
１８  蓋体
１９  仕切壁
２０  連通口
２３  バスケット
２８  除塵手段
２９  振動板
２９ａ  凸部
【図１】
2006020689.tif 000003
【図２】
2006020689.tif 000004
【図３】
2006020689.tif 000005
【図４】
2006020689.tif 000006
【図５】
2006020689.tif 000007
【図６】
2006020689.tif 000008